(57)【要約】  ＯＬＥＤデバイスのパッケージ構造、ＯＬＥＤデバイス及びディスプレイスクリーンであって、前記ＯＬＥＤデバイスは、ＯＬＥＤ本体１０とパッケージ層とを備え、前記パッケージ層は、有機層１１と、保護層１２と、バリア層１３と、応力層１４とを有し、前記有機層１１上には、第１の曲面領域１１１が形成され、前記保護層１２、バリア層１３及び応力層１４は順に前記有機層１１上に積層され、前記保護層１２、バリア層１３及び応力層１４上には、いずれも第２の曲面領域１２１，１３１，１４１が形成され、前記第２の曲面領域１２１，１３１，１４１と前記第１の曲面領域１１１とは積層配置して重ね合わさり、前記第２の曲面領域１２１，１３１，１４１と前記第１の曲面領域１１１とはパッケージ層の折り畳み領域１５を形成する。
2019517105.tif 000002
【特許請求の範囲】
【請求項１】
ＯＬＥＤ本体とパッケージ層とを含むＯＬＥＤデバイスのパッケージ構造であって、前記パッケージ層は、有機層と、保護層と、バリア層と、応力層とを含み、前記有機層上には、第１の曲面領域が形成され、前記保護層、バリア層及び応力層は順に前記有機層上に積層され、前記保護層、バリア層及び応力層上には、いずれも第２の曲面領域が形成され、前記第２の曲面領域と前記第１の曲面領域とは積層配置して重ね合わさり、前記第２の曲面領域と前記第１の曲面領域とはパッケージ層の折り畳み領域を形成するＯＬＥＤデバイスのパッケージ構造。
【請求項２】
前記第１の曲面領域は、複数の規則的な錐体、又は複数の規則的なトレンチ溝がマトリクス状に間隔配列されることにより形成される請求項１に記載のＯＬＥＤデバイスのパッケージ構造。
【請求項３】
前記パッケージ層は、複数からなり積層配置され、且つ、各２つの隣接するパッケージ層は、有機層を介して応力層に貼り合わせられる請求項２に記載のＯＬＥＤデバイスのパッケージ構造。
【請求項４】
前記応力層上には、無機層も積層される請求項１に記載のＯＬＥＤデバイスのパッケージ構造。
【請求項５】
前記保護層は、真空蒸着により前記有機層上に形成された透明金属である請求項１に記載のＯＬＥＤデバイスのパッケージ構造。
【請求項６】
前記バリア層は、堆積方式で前記保護層上に形成された無機材料である請求項１に記載のＯＬＥＤデバイスのパッケージ構造。
【請求項７】
前記応力層は、ポリマー材料から製造される請求項１に記載のＯＬＥＤデバイスのパッケージ構造。
【請求項８】
前記折り畳み領域は、１つであるか、又は複数で間隔配置される請求項１に記載のＯＬＥＤデバイスのパッケージ構造。
【請求項９】
ＯＬＥＤ本体と、パッケージ層とを含むＯＬＥＤデバイスであって、前記パッケージ層は、有機層と、保護層と、バリア層と、応力層とを含み、前記有機層上には、第１の曲面領域が形成され、前記保護層、バリア層及び応力層は順に前記有機層上に積層され、前記保護層、バリア層及び応力層上には、いずれも第２の曲面領域が形成され、前記第２の曲面領域と前記第１の曲面領域とは積層配置して重ね合わさり、前記第２の曲面領域と前記第１の曲面領域とはパッケージ層の折り畳み領域を形成するＯＬＥＤデバイス。
【請求項１０】
前記第１の曲面領域は、複数の規則的な錐体、又は複数の規則的なトレンチ溝がマトリクス状に間隔配列されることにより形成される請求項９に記載のＯＬＥＤデバイス。
【請求項１１】
前記パッケージ層は、複数からなり積層配置され、且つ、各２つの隣接するパッケージ層は、有機層を介して応力層に貼り合わせられる請求項１０に記載のＯＬＥＤデバイス。
【請求項１２】
前記応力層上には、無機層も積層される請求項９に記載のＯＬＥＤデバイス。
【請求項１３】
前記保護層は、真空蒸着により前記有機層上に形成された透明金属である請求項９に記載のＯＬＥＤデバイス。
【請求項１４】
前記バリア層は、堆積方式で前記保護層上に形成された無機材料である請求項９に記載のＯＬＥＤデバイス。
【請求項１５】
前記応力層は、ポリマー材料から製造される請求項９に記載のＯＬＥＤデバイス。
【請求項１６】
前記折り畳み領域は、１つであるか、又は複数で間隔配置される請求項９に記載のＯＬＥＤデバイス。
【請求項１７】
請求項９に記載のＯＬＥＤデバイスを含むディスプレイスクリーン。
【発明の詳細な説明】
【技術分野】
【０００１】
本発明は、中国において２０１６年５月１７日に出願された発明の名称が「ＯＬＥＤデバイスのパッケージ構造、ＯＬＥＤデバイス及びディスプレイスクリーン」である中国特許出願番号２０１６１０３２５９１９．７を基礎として優先権を主張するものであり、上記した出願の内容は参照されることにより、本出願に援用される。
【０００２】
本発明は、液晶表示技術の分野に関し、特に、ＯＬＥＤデバイスのパッケージ構造、ＯＬＥＤデバイス及びディスプレイスクリーンに関する。
【背景技術】
【０００３】
表示技術の発展に伴って、新世代の表示技術の開発と応用がすばらしい勢いで繰り広げられ、次第に複数の分野に応用される。例えば、スマートリストバンド、スマートウォッチ、ＶＲ（Ｖｉｒｔｕａｌ  Ｒｅａｌｉｔｙ；即ち、バーチャルリアリティ）機器のようなウェアラブル機器や、携帯電話、電子書籍及び電子新聞、テレビ、パーソナルコンピューター等がある。
【０００４】
有機発光ダイオードは、有機エレクトロルミネッセンスディスプレイ（Ｏｒｇａｎｉｃ  Ｌｉｇｈｔ−Ｅｍｉｔｔｉｎｇ  Ｄｉｏｄｅ、ＯＬＥＤ）とも呼ばれ、自体の操作使用寿命がＯＬＥＤの開発にとって極めて重要な課題の１つとなる。また、ＯＬＥＤ素子は、水分・酸素に非常に敏感な素子であり、特に水分に対して、素子がパッケージされないと、発光領域に黒点が容易に形成されると共に、時間の経過に伴って黒点が広がる。現在、パッケージ方式として、カバーガラスのパッケージ方式が広く用いられるが、ＯＬＥＤ、即ち折り畳み可能なＯＬＥＤや巻取り式のＯＬＥＤに対して、フィルム封止（Ｔｈｉｎ  Ｆｉｌｍ  Ｅｎｃａｐｓｕｌａｔｉｏｎ）は最適な方法の１つである。現在のフィルム封止で最も一般的に用いられる技術は、ポリマー有機フィルムと無機フィルムとをＯＬＥＤ表面に交互に堆積させることであり、無機フィルムは、良好な水分・酸素バリア性を有し、ポリマーフィルムは層間の応力をよく吸収し分散させることができ、緻密な無機フィルムに割れが生じられることを避けて水分・酸素に対するバリア性を低減する。折り畳み可能なＯＬＥＤ及び巻取り式のＯＬＥＤにとって、通常平面へのポリマーフィルムと無機フィルムの交互な堆積では、十分な折り畳み寿命回数及びより小さな巻取り曲率を達成することができない。
【発明の概要】
【発明が解決しようとする課題】
【０００５】
本発明は、前述したＯＬＥＤデバイスの柔軟性を補強し、折り畳み寿命を向上するＯＬＥＤデバイスを提供することを目的とする。
【課題を解決するための手段】
【０００６】
前記ＯＬＥＤデバイスは、ＯＬＥＤ本体と、パッケージ層とを備え、前記パッケージ層は、有機層と、保護層と、バリア層と、応力層とを有し、前記有機層上には、第１の曲面領域が形成され、前記保護層、バリア層及び応力層は順に前記有機層上に積層され、前記保護層、バリア層及び応力層上には、いずれも第２の曲面領域が形成され、前記第２の曲面領域と前記第１の曲面領域とは積層配置して重ね合わさり、前記第２の曲面領域と前記第１の曲面領域とはパッケージ層の折り畳み領域を形成する。
【０００７】
また、前記第１の曲面領域は、複数の規則的な錐体、又は複数の規則的なトレンチ溝がマトリクス状に間隔配列されることにより形成される。
【０００８】
また、前記パッケージ層は、複数からなり積層配置され、且つ、各２つの隣接するパッケージ層は、有機層を介して応力層に貼り合わせられる。具体的に、圧印金型の表面には、前記ピラミッド形又は円錐形又は三角形のトレンチ溝又は円弧形のトレンチ溝が配置され、フィルムを圧印することで対応する曲面領域を形成する。
【０００９】
また、前記ＯＬＥＤ本体は、カソード層を含み、前記カソード層と前記有機層との間にはバリア保護層が設けられている。
【００１０】
また、前記保護層は、真空蒸着により前記有機層上に形成された透明金属であり、前記保護層は、前記有機層を保護するための、一定の厚みで透明金属となる無機材料であるＡｌやＡｇ等を含むが、これらに限定されない。
【００１１】
また、前記バリア層は、堆積方式で前記保護層上に形成された無機材料である。
【００１２】
また、前記応力層は、ポリマー材料から製造される。
【００１３】
また、前記応力層上には無機層も積層されている。実際の必要に応じて異なる有機層と無機層の交互構造フィルムを堆積することによって、水分・酸素に対する有効的なバリア性と、折り畳み及び巻取り寿命の有効的な延長を図る。バリア層と無機層の材料は、同一でも異なってもよい。
【００１４】
また、前記折り畳み領域は、１つであるか、又は複数で間隔配置される。折り畳み領域が複数であると、ＯＬＥＤデバイスを複数回に折り畳む状況に適合される。
【００１５】
本願は、前述したＯＬＥＤデバイスのパッケージ構造を有するＯＬＥＤデバイスを提供する。
【００１６】
本願は、前述したＯＬＥＤデバイスを有するディスプレイスクリーンを提供する。
【発明の効果】
【００１７】
本発明の前記ＯＬＥＤデバイスのパッケージ構造は、曲面領域から構成された屈曲領域を有して、良好な折り畳み及び巻取り効果を達成すると共に、フレキシブルＯＬＥＤデバイスの操作寿命を延ばしている。
【図面の簡単な説明】
【００１８】
以下、本発明の実施例又は従来技術による技術案をより明らかに説明するために、実施例又は従来技術で利用する必要がある図面について簡単に紹介する。なお、後述する図面は、本発明のある実施例を示したものに過ぎず、当業者であれば、創造的な活動をしない前提で、これらの図面に基づいて他の関連する図面を得ることもできることは言うまでもない。
【図１】本発明によるＯＬＥＤデバイスのパッケージ構造の模式図である。
【図２】図１に示すＯＬＥＤデバイスを有するディスプレイスクリーンの模式図である。
【図３】図１のＯＬＥＤデバイスのパッケージ構造を製造する有機層の第１の曲面領域の金型の模式図である。
【図４−６】図１に示すＯＬＥＤデバイスのパッケージ構造の段階図である。
【発明を実施するための形態】
【００１９】
以下、本発明の実施例における図面を参照しながら、本発明の実施例における技術案について明瞭、完全に記述するが、その記述した実施例はただ本発明の一部の実施例に過ぎず、全ての実施例ではないことは勿論である。そして、本発明における実施例に基づき、本分野の当業者が創造的な活動をしない前提で得られた全ての他の実施例は、いずれも本発明の保護範囲に属するものである。
【００２０】
図１及び図２を参照すると、本発明の好ましい実施形態の提供する前記ＯＬＥＤデバイスのパッケージ構造はＯＬＥＤデバイス、特にフレキシブルなＯＬＥＤデバイスに用いられる。前記ＯＬＥＤデバイスはＯＬＥＤ本体１０及びパッケージ層（図示せず）を備えている。前記パッケージ層は、有機層１１と、保護層１２と、バリア層１３と、応力層１４とを有し、前記有機層１１上には第１の曲面領域１１１が形成されている。前記有機層１１上には、前記保護層１２、バリア層１３及び応力層１４が順に積層され、前記保護層１２、バリア層１３及び応力層１４上には、いずれも第２の曲面領域が形成され、前記第２の曲面領域と前記第１の曲面領域１１１とは積層配置して重ね合わさり、前記第２の曲面領域と前記第１の曲面領域１１１とは積層配置されてＯＬＥＤデバイスの折り畳み領域１５を形成する。説明したいことは、前記第２の曲面領域と前記第１の曲面領域１１１とは、ＯＬＥＤ本体１０に投影すると重ね合わさり、積層後に規則的な折り畳み領域１５を構成する。
【００２１】
前記パッケージ層は、複数からなり積層配置され、且つ、各２つの隣接するパッケージ層は、有機層を介して応力層に貼り合わせられる。つまり、異なる必要に応じて、異なる層の有機層と無機層を交互に積層配置することができる。本実施例においては、前記パッケージ層は１つである。前記ＯＬＥＤ本体１０はカソード層１０１を含み、前記パッケージ層は前記カソード層１０１上に貼り付けられ、前記カソード層１０１と前記有機層１１との間にはバリア保護層１６が設けられる。
【００２２】
さらに、前記有機層１１の第１の曲面領域は、いずれも複数の規則的な錐体、又は複数の規則的なトレンチ溝がマトリクス状に間隔配列されることにより形成される。また、前記第１の曲面領域は金型で圧印形成される。さらに、前記錐体は、ピラミッド形又は円錐形であり、前記トレンチ溝の断面は三角形又は円弧形を呈する。具体的に、圧印金型の表面には、前記ピラミッド形又は円錐形又は三角形のトレンチ溝又は円弧形のトレンチ溝が配置さら、フィルムを圧印することで対応する曲面領域を形成する。図２を参照すると、金型表面には、複数のピラミッド形をマトリクス状に間隔配列して構成される圧印面が凸設され、金型で有機層１１を圧印することにより第１の曲面領域が形成される。保護層１２、バリア層１３及び応力層１４が有機層１１に積層される時、対応する前記第１の曲面領域の位置にいずれも第２の曲面領域が形成される。
【００２３】
また、前記保護層１２は、透明金属で製造され、前記有機層１１を保護するための、一定の厚みで透明金属となる無機材料であるＡｌ、Ａｇ等を含むが、これらに限定されない。
【００２４】
また、前記バリア層１３は、無機材料から製造され、無機材料をプラズマ援用化学気相堆積法（Ｐｌａｓｍａ  Ｅｎｈａｎｃｅｄ  Ｃｈｅｍｉｃａｌ  Ｖａｐｏｒ  Ｄｅｐｏｓｉｔｉｏｎ；ＰＥＣＶＤ）により保護層上に堆積して前記バリア層を形成するが、その方法はＰＥＣＶＤ法に限定されない。また、無機材料はＡｌ２Ｏ３、ＳｉＮｘ、ＴｉＯ２、ＳｉＯｘ等を含むが、これらに限定されない。
【００２５】
また、前記応力層１４は、ポリマー材料から製造され、バリア層上に透明ポリマーを堆積して応力層を形成することによって、バリア層の折り畳み及び巻取り過程での応力を緩和する。透明ポリマーは、ＨＭＤＳＯ（ヘキサメチルジシロキサン）重合体であるｐｐ−ＨＭＤＳＯ（Ｐｌａｓｍａ  Ｐｏｌｙｍｅｒｉｚｅｄ  ＨＭＤＳＯ）、ポリアクリレート系、ポリカーボネート系、ポリスチレン系等を含むが、これらに限定されない。
【００２６】
さらに、前記応力層１４上には無機層１７も積層されている。実際の必要に応じて本体１０上に異なる有機層と無機層の交互構造のパッケージ層フィルムを堆積することによって、水分・酸素に対する有効的なバリア性と、折り畳み及び巻取り寿命の有効的な延長を図る。バリア層と無機層の材料は、同一でも異なってもよい。
【００２７】
また、前記折り畳み領域１５は、図２に示すように１つである。よく理解できるように、前記折り畳み領域１５は、複数で平行に間隔配置されてもよい。折り畳み領域１５が複数である時、ＯＬＥＤデバイスを複数回に折り畳む状況に適合し、折り畳み領域１５が表示領域全体に延びると、ＯＬＥＤデバイスを巻き取る、又は可撓にする状況に適合する。
【００２８】
図３を参照すると、前記パッケージ層を製造する場合、第１の段階として、前記金型２０と、有機層１１が設けられたＯＬＥＤ本体１０とを提供する。また、金型２０の表面には、複数のピラミッド形をマトリクス状に間隔配列して構成される圧印面２０１が凸設されている。第２の段階として、金型２０の圧印面２０１で前記有機層１１を圧印することによって、有機層１１の表面を第１の曲面領域１１１（図４）に圧印する。第３の段階として、透明金属を有機層１１の表面に真空蒸着することによって保護層１２を形成すると共に、保護層１２上の前記第１の曲面領域１１１に対応する位置に第２の曲面領域１２１（図５）を形成する。第４の段階として、堆積方式で前記保護層１２上にバリア層１３を形成すると共に、バリア層１３上の前記第１の曲面領域１１１に対応する位置に第２の曲面領域１３１（図６）を形成する。第５の段階として、堆積方式で前記バリア層１３上に応力層１４を形成すると共に、応力層１４上の前記第１の曲面領域１１１に対応する位置に第２の曲面領域１４１（図１）を形成する。
【００２９】
本願の前述したＯＬＥＤデバイスのパッケージ構造は、通常平面のフィルム封止と比べて、交互する無機フィルムと有機フィルムの積層配置を用い、曲面領域を有する有機層１１及び応力層１４は、フレキシブルＯＬＥＤデバイスの折り畳み及び巻き取る場合に生じる応力をより効果的に緩和できると共に、曲面領域を有する保護層１２、バリア層１３は、フィルム封止層への水分・酸素の浸透経路を効果的に延ばすことができる。これによって、良好な折り畳み及び巻取り効果を達成すると共に、フレキシブルＯＬＥＤ素子の操作寿命を延ばしている。さらに、金型プロセスにより特定形状の折り畳み領域１５を圧印形成でき、製造工程が簡単で、低コストである。
【００３０】
本願は、ＯＬＥＤデバイスのフレキシブルディスプレイスクリーンも提供し、前記ＯＬＥＤデバイスは、上記実施例に記載のＯＬＥＤデバイスのパッケージ構造を備える。ＯＬＥＤデバイスは、上記パッケージ構造を採用することによって、フレキシブルディスプレイスクリーンの柔軟性及び屈曲寿命を増加することができる。
【００３１】
以上は、単に本発明の好ましい実施例を開示したことに過ぎず、これによって本発明の特許請求の範囲を限定できないことは言うまでもない。本分野の当業者であれば、上記実施例の全部又は一部の工程を実現し、本発明の特許請求の範囲に応じてなされた同等な変化が、依然として本発明の保護範囲内に属することを理解できるであろう。
【図１】
2019517105.tif 000003
【図２】
2019517105.tif 000004
【図３】
2019517105.tif 000005
【図４】
2019517105.tif 000006
【図５】
2019517105.tif 000007
【図６】
2019517105.tif 000008
【国際調査報告】
2019517105.tif 000009
2019517105.tif 000010
2019517105.tif 000011
2019517105.tif 000012